(57)【要約】【課題】    コネクタの蓋体と絶縁座体の離脱を防ぎ、且つ、該蓋体の係合部の変形や湾曲の発生を防ぐと共に、コネクタの使用寿命を延長し、FFCとコネクタの電気的接触をより確実にした、フレキシブル回路基板用コネクタの蓋体離脱防止構造の提供。【解決手段】    絶縁座体、蓋体、若干の接続端子及び一対の脱落防止板を含み、そのうち、前記絶縁座体の両側にスライド槽を設け、板面上の両側辺付近に嵌置槽を凹み状にそれぞれ設け、前記蓋体の左右両側は、前端部にスライド突起を備えた係合部から構成され、該係合部の外側前端部に逆L字形突起を設け、該係合部の該スライド突起は、前記絶縁座体のスライド槽に係合され、前記一対の脱落防止板は相互に同じ構造の一体式の板体であり、底板、挿入板及び支持板を含み、前記蓋体が引き出されると、該支持板がその該蓋体の逆L字形突起内部に位置し、該蓋体の係合部を規制し、該蓋体の絶縁座体からの離脱を防ぐ。【選択図】    図４
2005135890.tif 000002
【特許請求の範囲】
【請求項１】
縦長状の絶縁座体、コ字形の蓋体、若干の接続端子及び一対の脱落防止板を含み、そのうち、前記絶縁座体の両側にスライド槽を設け、板面上の両側辺付近に嵌置槽を凹み状にそれぞれ設け、前記蓋体の左右両側は、前端部にスライド突起を備えた係合部から構成され、該係合部の外側前端部に逆L字形突起を設け、且つ、該係合部の該スライド突起は、前記絶縁座体のスライド槽に係合され、前記一対の脱落防止板は相互に同じ構造の一体式の板体であり、底板、挿入板及び支持板を含み、そのうち、該底板は水平の板面であり、該挿入板と該支持板は直立板面であり、互いに間隔を保持し相互に平行に該底板上に成型され、且つ、該挿入板は前記絶縁座体の嵌置槽内に嵌入され、前記蓋体が引き出されると、該支持板がその該蓋体の逆L字形突起内部に位置する、フレキシブル回路基板用コネクタの蓋体離脱防止構造。
【請求項２】
前記のうち、該蓋体の係合部の内側面に導入槽を設け、該係合部の内側前端部にスライド突起を設けた、請求項１に記載のフレキシブル回路基板用コネクタの蓋体離脱防止構造。
【請求項３】
前記のうち、該絶縁座体の正板面両側の中間位置に突起部を設け、前記蓋体の導入槽の直立板面中段位置に凹槽を設けた、請求項２に記載のフレキシブル回路基板用コネクタの蓋体離脱防止構造。
【請求項４】
前記のうち、前記絶縁座体の嵌置槽が、絶縁座体を貫通した槽溝である、請求項１乃至３に記載のフレキシブル回路基板用コネクタの蓋体離脱防止構造。
【請求項５】
前記のうち、前記一対の脱落防止板が、相互に対称の構造である、請求項１乃至３に記載のフレキシブル回路基板用コネクタの蓋体離脱防止構造。
【発明の詳細な説明】
【技術分野】
【０００１】
本発明は、フレキシブル回路基板用のコネクタの抜け落ち防止機構に関し、特に、蓋体の抜け落ちを防止したフレキシブル回路基板用のコネクタに関する。
【背景技術】
【０００２】
図１及び図２に従来のフレキシブル回路基板用コネクタ１０を示す。コネクタ１０は、縦長状の絶縁座体１１に、一辺が開口したコ字形の蓋体１２を装着して成り、プリント配線板７０上に設置することができ、フレキシブルフラットケーブル(Flexible Flat Cable, FFC)と電気的接続を構成するために用いられる。
【０００３】
そのうち、前記絶縁座体１１の両側側面上に、スライド導入槽として作用するスライド槽１１aを設け、各スライド槽１１aの溝部前端に位置決め突起１１ｂを突起させて形成する。該絶縁座体１１の内部に、挿入槽１４と若干の端子槽１５を設け、各端子槽１５は該挿入槽１４と相通しており、各該端子槽１５に接続端子５０を嵌置し、FFC８０が前記絶縁座体１１の挿入槽１４内に挿入されると、該接続端子５０と電気的接続を形成し、該接続端子５０がさらにプリント配線板７０と電気的接続を形成する。
【０００４】
前記蓋体１２の左右両側は、前端にスライド突起１３ｂを備えた係合部１３を備え、該左右両側の係合部１３間は、連結板１６により接続され、該蓋体１２はコ字形を呈している。該蓋体１２左右両側の係合部１３前端位置に設けた前記スライド突起１３ｂを、前記絶縁座体１１両側側面上に設けた前記スライド槽１１a内にそれぞれ係合し、該蓋体１２と絶縁座体１１の組合せによりフレキシブル回路基板用のコネクタ１０が形成される。
【０００５】
さらに、前記蓋体１２に設けた前記スライド突起１３ｂと、前記絶縁座体１１に設けたスライド槽１１aは、一つのスライド機構を構成し、これにより、コネクタ１０の該蓋体１２は、引き出して開けたり、閉じたりすることができるしくみである。同時に、該蓋体１２を引き出すとき、前記スライド突起１３ｂが該絶縁座体１１のスライド槽１１aの溝部前端に設けた前記位置決め突起１１ｂに接触し、これにより、該蓋体１２と絶縁座体１１間の開放時の距離が制限され、該蓋体１２が絶縁座体１１から脱落しないだけでなく、該絶縁座体１１の前記挿入槽１４が、該蓋体１２の前記連結板１６に遮蔽されずに完全に露出され、前記FFC８０を前記絶縁座体１１の挿入槽１４内部に差し込むことができる構造である。前記蓋体１２を閉じ、該蓋体１２と絶縁座体１１が閉合した状態にあるときは、該蓋体１２の前記連結板１６が、該絶縁座体１１の挿入槽１４内部に進入し、前記FFC８０を押さえ固定することができ、該FFC８０が絶縁座体１１の挿入槽１４内に安定して固定され、前記接続端子５０と電気的接続を構成する。
【０００６】
しかしながら、前述のコ字形の蓋体１２は、左右両側の係合部１３が長細い板状の構造であり、加えて、その前端にスライド突起１３ｂを設ける必要があるため、該蓋体１２の係合部１３の厚さは、通常厚く形成することができず、変形や湾曲に対する抵抗強度が不足しがちであり、使用後往々にして変形や湾曲が発生することがある。特に、該蓋体１２の引き出される力が強い場合、該係合部１３のスライド突起１３ｂが、前記絶縁座体１１の位置決め突起１１ｂから外れてしまい、該位置決め突起１１ｂによる制限を受けない状態となり、該蓋体１２が絶縁座体１１から離脱してしまい、コネクタ１０そのものが使用不能になってしまう。該蓋体１２のスライド突起１３ｂを、絶縁座体１１のスライド槽１１a内に再度嵌入したとしても、使用時には、該蓋体１２の係合部１３が変形または湾曲を生じているため、FFC８０を該絶縁座体１１の挿入槽１４内にしっかり固定することができず、該FFC８０とコネクタ１０の電気的接触不良を生じてしまう。
【発明の開示】
【発明が解決しようとする課題】
【０００７】
前記の問題に鑑みて、本発明は、フレキシブル回路基板用のコネクタの蓋体と絶縁座体の離脱現象を防止し、従来のフレキシブル回路基板用コネクタの欠点を克服した、フレキシブル回路基板用コネクタの蓋体離脱防止構造の提供を目的とするものである。
【０００８】
また、本発明はさらに、蓋体左右両側の係合部前段部に、該蓋体の移動を規制する逆L字形突起を設け、該蓋体を一定位置まで引き出したとき、該蓋体の逆L字形突起が規制を受け、継続して引き出せなくなるだけでなく、該蓋体の係合部前段部が脱落防止板の支持板による規制を受け、外側への拡張や移動が発生しないため、該係合部の変形や湾曲の発生を防ぐことができ、コネクタの使用寿命を延長し、FFCとコネクタの電気的接触をより確実にする、フレキシブル回路基板用コネクタの蓋体離脱防止構造の提供を別の目的とする。
【課題を解決するための手段】
【０００９】
本発明のフレキシブル回路基板用コネクタの蓋体離脱防止構造は、縦長状の絶縁座体、コ字形の蓋体、若干の接続端子及び一対の脱落防止板を含み、そのうち、前記絶縁座体の両側にスライド槽を設け、板面上の両側辺付近に嵌置槽を凹み状にそれぞれ設け、前記蓋体の左右両側は、前端部にスライド突起を備えた係合部から構成され、該係合部の外側前端部に逆L字形突起を設け、且つ、該係合部の該スライド突起は、前記絶縁座体のスライド槽に係合され、前記一対の脱落防止板は相互に同じ構造の一体式の板体であり、底板、挿入板及び支持板を含み、そのうち、該底板は水平の板面であり、該挿入板と該支持板は直立板面であり、互いに間隔を保持し相互に平行に該底板上に成型され、且つ、該挿入板は前記絶縁座体の嵌置槽内に嵌入され、前記蓋体が引き出されると、該支持板がその該蓋体の逆L字形突起内部に位置し、該蓋体の係合部を規制し、該蓋体の絶縁座体からの離脱を防ぐ。
【発明の効果】
【００１０】
本発明のフレキシブル回路基板用コネクタの蓋体離脱防止構造によれば、コネクタの蓋体と絶縁座体の離脱現象を防止することができ、さらに、該蓋体の係合部前段部に設けた逆L字形突起により、該蓋体を一定位置まで引き出したとき、逆L字形突起が規制を受け、継続して該蓋体を引き出せなくなり、さらに、該蓋体の係合部前段部が脱落防止板の支持板による規制を受け、外側への拡張や移動が発生しないため、該係合部の変形や湾曲の発生を防ぐことができ、コネクタの使用寿命を延長し、FFCとコネクタの電気的接触をより確実にすることができる。
【発明を実施するための最良の形態】
【００１１】
図３及び図４に示すように、本発明のフレキシブル回路基板用のコネクタ２０は、縦長状の絶縁座体３０と、コ字形の蓋体４０、若干の接続端子５０、及び一対の脱落防止板６０から構成される。
【００１２】
そのうち、前記絶縁座体３０の内部構造は、従来品と同様であり、挿入槽３２及び前記接続端子５０が設置される若干の端子溝を備えている。該絶縁座体３０の両側側面上には、スライド導入溝として作用するスライド槽３３を設け、該スライド槽３３の溝部前端には、位置決め突起３３aを突起させて設ける。
【００１３】
前記絶縁座体３０の板面の両端側辺部付近に、嵌置槽３４を凹み状にそれぞれ設け、該嵌置槽３４は、前記絶縁座体３０を貫通させるか、または、該絶縁座体３０の底面板面により、深度のある凹みとして形成する。但し、該嵌置槽３４を設ける位置は、該絶縁座体３０両側側面に設けた前記スライド槽３３を破壊することはなく、且つ、該絶縁座体３０の挿入槽３２を破壊することもないものとする。
【００１４】
このほか、該絶縁座体３０の正板面３１両側中間位置を外側へそれぞれ突出させて突起部３５を形成してもよく、該絶縁座体３０の別の実施例とする。
【００１５】
前記蓋体４０はコ字形を呈し、連結板４１と該連結板４１の左右両側に連続して設置された係合部４２から構成される。そのうち、各係合部４２の外側板面前段部に、逆L字形突起４２aを設け、また、各係合部４２の内側に、導入槽４２ｂを形成すると共に、各係合部４２の内側前端部に、スライド突起４２ｃを設置する。且つ、該導入槽４２ｂの深さは、前記絶縁座体３０の正板面３１の左右側面の厚さと大体同じとし、該蓋体４０左右両側の導入槽４２ｂ間の最大幅は、該絶縁座体３０の正板面３１の左右側辺間の幅より若干大きいものとする。
【００１６】
このため、図３及び図５に示すように、前記蓋体４０左右両側の係合部４２のスライド突起４２ｃをそれぞれ前記絶縁座体３０の両側側壁のスライド槽３３内に嵌入した後、該絶縁座体３０の正板面３１の左右側端部が、該蓋体４０の左右両側の導入槽４２ｂ上に跨置され、該蓋体４０を引き出したり閉じたりするとき、該蓋体４０のスライド突起４２ｃが、該絶縁座体３０のスライド槽３３内で滑動するだけでなく、該蓋体４０の導入槽４２ｂが、該蓋体４０の滑動を円滑に導入する作用を発揮する。同様の原理で、図３、図５及び図７に示すように、前記正板面３１両側に設けた突起部３５を備えた絶縁座体３０は、該蓋体４０左右両側の導入槽４２ｂ上に跨置され、該蓋体４０の導入槽４２ｂを利用し、該蓋体４０の滑動を導引・位置決めすることができ、即ち、該蓋体４０の導入槽４２ｂの直立板面中間部に、該突起部３５に相対する形状の凹槽４２ｄを形成し、該導入槽４２ｂの直立板面後方部にさらに切欠部４２eを形成する。これにより、該蓋体４０を引き出すと、図５に示すように、該蓋体４０の切欠部４２eが、該絶縁座体３０の突起部３５を収納し、該蓋体４０を閉じると、図７に示すように、該絶縁座体３０の突起部３５が、該蓋体４０の凹槽４２ｄ内へ進入し、該蓋体４０が位置決めされる。
【００１７】
前記脱落防止板６０は、一対の相互に対称または同じ構造の板体であり、底板６１、挿入板６２、支持板６３が一体となって構成される。そのうち、前記底板６１は、矩形の水平板面であり、前記挿入板６２及び支持板６３は、相互に適当な間隔を保持し、且つ、相互に平行な直立した板面とする。また、該挿入板６２は、前記底板６１の側辺を折り曲げて成型され、その直立板面の幅は、前記絶縁座体３０の嵌置槽３４の槽幅より若干小さいものとし、このため、該脱落防止板６０の挿入板６２を該絶縁座体３０の嵌置槽３４内に挿入することができる。
【００１８】
図５から図８に示すように、前述の構成により該脱落防止板６０と絶縁座体３０、蓋体４０及び若干の接続端子５０組み合わされ、本発明のフレキシブル回路基板用のコネクタ２０が構成され、前記蓋体４０を定位置まで引き出すとき、該蓋体４０左右両側の係合部４２前端部に設けた逆L字形突起４２aが、前記脱落防止板６０の前記支持板６３に規制され、引き出される方向へさらに移動することができなくなり、且つ、該蓋体４０の係合部４２前端外側もまた、該脱落防止板６０の支持板６３に規制されるため、該蓋体４０と絶縁座体３０の離脱を防止することができる。
【００１９】
図５から図８に本発明の具体的な実施例を示す。本発明のフレキシブル回路基板用のコネクタ２０は、縦長状の絶縁座体３０、コ字形の蓋体４０、若干の接続端子５０及び一対の脱落防止板６０を組み立てて構成され、且つ、該脱落防止板６０の底板６１をプリント配線板７０上に溶接し、該コネクタ２０が該プリント配線板７０上に固定される。
【００２０】
使用時には、図５及び図６に示すように、まず前記蓋体４０を直線スライド移動ができなくなるまで引き出し、このとき、該蓋体４０の係合部４２外側前端部に設けた前記逆L字形突起４２aが、前記脱落防止板６０の支持板６３に接触し、該蓋体４０を位置決めし、同時に、該蓋体４０の係合部４２前端部が、支持壁面作用を備えた該支持板６３の規制を受けるため、該蓋体４０の係合部４２の湾曲や変形を防ぐことができ、且つ、該蓋体４０の前記絶縁座体３０からの離脱を防止することができる。
【００２１】
FFC８０を前記絶縁座体３０の挿入槽３２内に挿入し、該挿入槽３２内部の接続端子５０と電気接続を構成した後、反対の順序で操作し、該蓋体４０を絶縁座体３０の閉じ位置へ向かって押し、即ち、該絶縁座体３０の突起部３５を該蓋体４０の凹槽４２ｄ内へ進入させ、このとき、該蓋体４０の連結板４１が該絶縁座体３０の前記挿入槽３２内部に進入し、該FFC８０を該絶縁座体３０の挿入槽３２内にしっかりと固定し、該FFC８０とプリント配線板７０間に良好な電気接続を形成する。
【図面の簡単な説明】
【００２２】
【図１】従来のフレキシブル回路基板用のコネクタ１０の外観及び使用状態を示す立体斜視図である。
【図２】図１のコネクタ１０の線２−２で切断した状態を示す断面図である。
【図３】本発明のフレキシブル回路基板用のコネクタ２０の外観を示す立体斜視図である。
【図４】本発明のフレキシブル回路基板用のコネクタ２０の立体分解図である。
【図５】本発明のフレキシブル回路基板用のコネクタ２０の蓋体４０を引き出したときの使用状態を示す立体斜視図である。
【図６】図５のコネクタ２０を線６−６で切断した状態を示す断面図であり、蓋体４０を引き出したとき、脱落防止板６０が位置決め効果を発揮し、該蓋体４０の両側の係合部４２の絶縁座体３０からの離脱を防止する状態を示す。
【図７】本発明のフレキシブル回路基板用のコネクタ２０の蓋体４０を閉じたときの使用状態を示す立体斜視図である。
【図８】図７のコネクタ２０を線８−８で切断した状態を示す断面図であり、該コネクタ２０の接続端子５０とFFC８０間の安定した固定と電気接続が形成された状態を示す。
【符号の説明】
【００２３】
１０        コネクタ
１１        絶縁座体
１１a      スライド槽
１１ｂ      位置決め突起
１２        蓋体
１３        係合部
１３ｂ      スライド突起    
１４        挿入槽
１５        端子槽
１６        連結板
２０        コネクタ
３０        絶縁座体
３１        正板面
３２        挿入槽
３３        スライド槽
３３a      位置決め突起
３４        嵌置槽
３５        突起部
４０        蓋体
４１        連結板
４２        係合部
４２a       逆L字形突起
４２ｂ      導入槽
４２ｃ      スライド突起
４２ｄ      凹槽
５０        接続端子
６０        脱落防止板    
６１        底板
６２        挿入板
６３        支持板
７０        プリント配線板
８０        FFC
【図１】
2005135890.tif 000003
【図２】
2005135890.tif 000004
【図３】
2005135890.tif 000005
【図４】
2005135890.tif 000006
【図５】
2005135890.tif 000007
【図６】
2005135890.tif 000008
【図７】
2005135890.tif 000009
【図８】
2005135890.tif 000010